(57)【要約】  【課題】  ボールペンチップは、筆記具本体（軸筒）の体積に対し、非常に小さく、また、細いものとなっている。それ故に、そのボールペンチップに施した着色は、見えにくく識別が困難なものとなってしまっていた。  また、出没式の筆記具にあっては、ボールペンチップの着色部分が、出没動作のたびに軸筒の先端開口部と擦れ合ってしまい、その結果、着色した部分が剥離してしまう危険性があった。  【解決手段】  軸筒に交換が可能な複数のリフィルが挿着された筆記具であって、前記リフィルの種類に応じた識別部材を前記軸筒に着脱自在に取り付けると共に、その識別部材を軸筒の表面から露出させた筆記具。【選択図】  図１
2009208258.tif 000002
【特許請求の範囲】
【請求項１】
軸筒に交換が可能な複数のリフィルが挿着された筆記具であって、前記リフィルの種類に応じた識別部材を前記軸筒に着脱自在に取り付けると共に、その識別部材を軸筒の表面から露出させたことを特徴とする筆記具。
【請求項２】
軸筒に交換が可能なリフィルが挿着された筆記具であって、前記リフィルを先端に装着されたボールペンチップとインキを貯留するインキタンク部とから少なくとも構成すると共に、前記ボールペンチップの先端に、その先端を保護するシール部材を着脱自在に取り付け、また、そのシール部材を前記リフィルの種類に応じた識別部材となし、さらに、その識別部材を前記軸筒に着脱自在に取り付けると共に、その識別部材を軸筒の表面から露出させたことを特徴とする筆記具。
【請求項３】
前記軸筒を前軸と後軸とから構成すると共に、それら前軸と後軸を連結部によって連結せしめ、その連結部に前記識別部材を着脱自在に取り付けたことを特徴とする請求項１、或いは、請求項２に記載の筆記具。
【発明の詳細な説明】
【技術分野】
【０００１】
本発明は、軸筒に交換が可能なリフィルが挿着された筆記具関するものであり、前記リフィルの一例としては、ボールペンリフィルやシャープペンシルユニットなどが挙げられる。
【背景技術】
【０００２】
１例として、軸筒に交換が可能なリフィルが挿着された筆記具であって、そのリフィルの先端にポールペンチップを装着すると共に、そのボールペンチップの外観色をインキの色と同色となしたボールペンが知られている。そして、ボールペンチップへの着色方法としては、スプレーや筆による塗装が一般的な手段である。
【特許文献１】実開平４−４７５７７号公報。
【発明の開示】
【発明が解決しようとする課題】
【０００３】
しかし、ボールペンチップは、筆記具本体（軸筒）の体積に対し、非常に小さく、また、細いものとなっている。それ故に、そのボールペンチップに施した着色は、見えにくく識別が困難なものとなってしまっていた。
また、出没式の筆記具にあっては、ボールペンチップの着色部分が、出没動作のたびに軸筒の先端開口部と擦れ合ってしまい、その結果、着色した部分が剥離してしまう危険性があった。
【課題を解決するための手段】
【０００４】
そこで、本発明は、軸筒に交換が可能な複数のリフィルが挿着された筆記具であって、前記リフィルの種類に応じた識別部材を前記軸筒に着脱自在に取り付けると共に、その識別部材を軸筒の表面から露出させたことを第１の要旨とし、軸筒に交換が可能なリフィルが挿着された筆記具であって、前記リフィルを先端に装着されたボールペンチップとインキを貯留するインキタンク部とから少なくとも構成すると共に、前記ボールペンチップの先端に、その先端を保護するシール部材を着脱自在に取り付け、また、そのシール部材を前記リフィルの種類に応じた識別部材となし、さらに、その識別部材を前記軸筒に着脱自在に取り付けると共に、その識別部材を軸筒の表面から露出させたことを第２の要旨とする。
【発明の効果】
【０００５】
本発明は、軸筒に交換が可能な複数のリフィルが挿着された筆記具であって、前記リフィルの種類に応じた識別部材を前記軸筒に着脱自在に取り付けると共に、その識別部材を軸筒の表面から露出させたことを第１の要旨とし、軸筒に交換が可能なリフィルが挿着された筆記具であって、前記リフィルを先端に装着されたボールペンチップとインキを貯留するインキタンク部とから少なくとも構成すると共に、前記ボールペンチップの先端に、その先端を保護するシール部材を着脱自在に取り付け、また、そのシール部材を前記リフィルの種類に応じた識別部材となし、さらに、その識別部材を前記軸筒に着脱自在に取り付けると共に、その識別部材を軸筒の表面から露出させたことを第２の要旨としているので、確実に、軸筒に挿着されているリフィルを識別することができると共に、出没式の筆記具にあっては、その出没動作によって識別別部材が剥離してしまうようなこともない。
【発明を実施するための最良の形態】
【０００６】
作用について説明する。軸筒の表面に識別部材を取り付けることによって、視認性が良くなると共に、出没動作においても擦れ合うことがないため、長期的に良好な視認が得られる。
第１例を図１〜図５に示し説明する。黒色や赤色、青色、の３色からなるボールペンが摺動自在に配置されている多芯筆記具である。ボールペンばかりではなく、シャープペンシルを適宜組み合わせても良い。参照符号１は、軸本体であり、その軸本体１は、前軸２と後軸３とより構成されている。また、本例において、前軸２は、先部材４と中軸５の螺合構造により構成されているが、一体的に形成されていても良い。
【０００７】
前記後軸３には、その長手方向に３個のスリット６が形成されている。本例においては、３個のスリット６が形成されているが、筆記体であるボールペンの数が３本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
前記後軸３の前方には断面の形状が外径方向に向かって拡開するほぼ扇形をした脚部８が形成されている。この脚部８は、スリット６が形成されることにより形成される。よって、筆記体の数によって脚部８の数は変わる。その脚部８の外接円径は、後軸３の最大外径よりも小さく形成されている。
符号９は、後軸３に一体的に形成されたクリップ部であるが、別部材で構成し後軸３に固定などしても良い。符号１０は、後軸３とクリップ部９の連結部に形成された貫通孔であって、紐や鎖などを通すことによって本発明の筆記具を首などから吊るすことが可能になる。
前記後軸３のスリット６には、スライダー１１が摺動自在に配置されている。このスライダー１１の長手方向の両側には、摺動突起１２が形成されており、前記スリット６に形成された摺動溝７に摺動可能に係合している。このスライダー１１の背面には、間隔をおいて２つの解除突起１３、１４が形成されており、スライダー１１の前端部には、筆記体を接続する球状の接続部１５が形成されている。そして、この接続部１５には、ボールペンやシャープペンシルなどの筆記体１６が接続されている。参照符号１７は、筆記体１６並びに筆記体１６に接続するスライダー１１を後方に付勢するコイルスプリングなどの弾撥部材である。尚、本例における筆記体１６は、ボールペンとなっており、そのボールペン１６のリフィルが前記接続部１５に接続されている。具体的には、赤、黒、青のインキが収納されたリフィルが接続されている。
【０００８】
前記前軸２の１部材である中軸５の中間部には、規制部１８が形成されており、その規制部１８には、筆記体１６が遊挿する３つの貫通孔１９が形成されており、前記規制部１８に弾撥部材１７の一端を係止させることにより、筆記体１６を後方に付勢している。また、中軸５の内側で、規制部１８の後方には、長手方向に３つの溝部２０が形成されており、この溝部２０に前記後軸３の脚部８が摺接され、組み立て時に脚部８が案内されるようになっている。また、その溝部２０は、脚部８の断面形状とほぼ同形をなしている。即ち、外径方向に向かって拡開する扇形を形成している。
符号２１は、前軸２に被覆されたグリップ部材であり、そのグリップ部材２１はゴム状弾性体から構成されているが、前軸２の表面に微細な凹凸加工を施すなどしてグリップ部としても良い。
【０００９】
前記前軸２の１部材である先部材４は、前記中軸５に対して螺合により着脱自在に固定されている。この先部材４と中軸５とを一体的に形成しても良いが、筆記体１６の交換や成形の容易性を考慮すると２部材とし、着脱自在に固定した方が良い。
また、この先部材４の内径部はペン先側へ向かって徐々に径が小さくなっており、円錐部２２を形成している。そして、先部材４の先端には、前記筆記体１６が出没する突出孔２３が形成されている。
一方、先部材４の中間部には、凹部２４が円周上に形成されており、その凹部２４には、円弧状の識別部材２４が着脱自在に取り付けられている。本例においては、３個の識別部材２５から構成されているが、それらの識別部材２５は前記３種のリフィル１６に収容されているインキの色に応じて各々着色（赤、黒、青）されている。また、それらの識別部材２５は、前記ボールペン１６のインキ色に応じた位置に取り付けられている。
その識別部材２５の一方端面には凸部２５ａが形成されており、他方には凹部２５ｂが形成されている。そして、隣り合う互いの凸部２５ａと凹部２５ｂが嵌り合うことによって、３個の識別部材２５が連結され、前記先部材４の凹部２４に取り付けられている。
ここで、ボールペン１６のインキ色を、例えば、赤色から緑色に交換した場合には、前記識別部材２５の赤色を離脱させ、新たに緑色の識別部材２５を嵌め合わせれば良い。
【００１０】
第２例を図６、図７に示し説明する。前記中軸５並びに、先部材４と同様な中軸２６と先部材２７は、螺合によって着脱自在に連結・固定されている。前記中軸２６の前方部には、３個の前方溝部２８が等間隔な位置に形成されており、その溝部２８と対応した先部材２６の後方部のも後方溝部２９が形成されている。そして、それら前方溝部２８と後方溝部２９とに跨って板状の識別部材３０が嵌め込まれている。勿論、この板状の識別部材３０にも筆記体１６のインキ色に応じた色が各々着色されている。板状の識別部材３０を中軸２６と先部材２７とに跨って嵌め合わせることによって、中軸２６に対する先部材２７の緩みや脱落が防止されると共に、連結部における強度が向上し折損などが防止されるのである。言い換えれば、連結部の強度が向上されるため、中軸２６や先部材２７の肉厚を薄くすることができ、それ故に、筆記具自体を細くすることも可能となる。尚、前記前方溝部２８と後方溝部２９の底部には、係合凹部２８ａ、２９ａが形成されており、その係合凹部２８ａ、２９ａに係合する係合突起３０ａ、３０ｂが識別部材３０の底面部に形成されている。それら係合凹部２８ａ、２９ｂに係合する係合突起３０ａ、３０ｂを嵌め合わせることによって、識別部材３０の前軸からの脱落が極力防止されている。
【００１１】
第３例を図８〜図１３に示し説明する。前記第１例と相違する点は、筆記体１６を４種類にすると共に、先部材を後方に向け延設形成し、その延設形成した部分と中軸とを識別部材によって連結せしめた点などである。以下、詳述する。前記中軸３１の前方には、先部材３２が螺合などの手段によって着脱自在に連結・固定されている。その先部材３２にはゴム状弾性体などからなるグリップ部材３３が被覆されており、そのグリップ部材３３よりも後方部が前記中軸３１の雌ねじ部３１ａと連結・螺合する雄ねじ部３２ａとなっている。そして、それら雌ねじ部３１ａと雄ねじ部３２ａには、４個の貫通孔３１ｂ、３２ｂが等間隔な位置に形成されており、その貫通孔３１ｂ、３２ｂには有底の筒状をなした識別部材３４が各々嵌着している。各々の貫通孔３１ｂ、３２ｂに跨った状態で識別部材３４を嵌着することによって、先部材３２の中軸３１に対する緩みが防止されているのである。勿論、この筒状の識別部材３４にも筆記体１６のインキ色に応じた色が各々着色されている。
前記筒状の識別部材３４は、筒状をなしているが底部３５が形成されていると共に、内側には、底部３５に向かって縮径する円錐状の内径部（円錐内径部）３６が形成されている。また、筒状の識別部材３４の上端と下端の外周部には、鍔部３４ａ、３４ｂが形成されており、前記貫通孔３１ｂ、３２ｂに嵌着させた際、各々の鍔部３４ａ、３４ｂが中軸３１の外面に、及び、先部材３２の内面に接するようになっている。即ち、識別部材３４の鍔部３４ａ、３４ｂで中軸３１並びに先部材３２を挟み込んでいるのである。
【００１２】
前記識別部材３４は、ボールペン（筆記体１６）のリフィル３７の先端に装着されたボールペンチップ３８の先端を覆うシール部材ともなっている。即ち、前記円錐内径部３６は、ボールペンチップ３８の先端部を被覆するための形状になっているのである。このシール部材（識別部材３４）は、工場出荷時にインキ色と同色の識別部材がボールペンチップに取り付けられているものであって、工場生産時から使用者に渡るまで間、インキの蒸発を防止すると共に、搬送中における最も重要なボールペンチップ先端の破損を保護する役割を果たしている。
【００１３】
第３例を図１４に示し説明する。前記第２例で示した識別部材３４をノック部材の後端に着脱自在に取り付けた例である。以下、詳述する。本例においては、軸筒３９に１本のボールペン４０が出没可能に配置されている。符号４１はボールペン４０を没入方向に向けて付勢するコイルスプリングなどの弾撥部材であって、符号４２はボールペン４０の出没動作を行うデビットカムなどの出没機構である。その出没機構４２の後方には、その出没機構４２を作動させるノック部材４３が配置されており、そのノック部材４３の後部には、前記識別部材３４がその底部３５を露出した状態で着脱自在に取り付けられている。
ここで、例えば、ボールペン１６のインキ色を、例えば、赤色から緑色に交換した場合には、ノック部材４３に取り付けられている識別部材３４を離脱させ、次いで、次に使用するボールペンチップに被覆されている赤色の識別部材３４を離脱させ、その赤色の識別部材３４を前記ノック部材４３に嵌め合わせれば良い
【図面の簡単な説明】
【００１４】
【図１】本発明の１例を示す外観図。
【図２】図１の縦断面図。
【図３】図１のＡ−Ａ線断面図。
【図４】図１のＢ−Ｂ線断面図。
【図５】図１の要部分解外観斜視図。
【図６】第２例を示す要部外観斜視図。
【図７】図６の分解図。
【図８】リフィルと識別部材を示す縦断面図。
【図９】第３例を示す縦断面図。
【図１０】図９の外観斜視図。
【図１１】図９のＣ−Ｃ線断面図。
【図１２】識別部材を示す縦断面図。
【図１３】図１０の要部分解外観斜視図。
【図１４】第４例を示す縦断面図。
【符号の説明】
【００１５】
１      軸本体
２      前軸
３      後軸
４      先部材
５      中軸
６      スリット
７      摺動溝
８      脚部
９      クリップ部
１０    円錐部
１１    スライダー
１２    摺動突起
１３    解除突起
１４    解除突起
１５    接続部
１６    筆記体
１７    弾撥部材
１８    規制部
１９    貫通孔
２０    溝部
２１    グリップ部材
２２    円錐部
２３    突出孔
２４    凹部
２５    識別部材
２６    中軸
２７    先部材
２８    前方溝部
２９    後方溝部
３０    識別部材
３１    中軸
３２    先部材
３３    グリップ部材
３４    識別部材
３５    底部
３６    円錐内径部
３７    リフィル
３８    ボールペンチップ
３９    軸筒
４０    ボールペン
４１    弾撥部材
４２    出没機構
４３    ノック部材
【図１】
2009208258.tif 000003
【図２】
2009208258.tif 000004
【図３】
2009208258.tif 000005
【図４】
2009208258.tif 000006
【図５】
2009208258.tif 000007
【図６】
2009208258.tif 000008
【図７】
2009208258.tif 000009
【図８】
2009208258.tif 000010
【図９】
2009208258.tif 000011
【図１０】
2009208258.tif 000012
【図１１】
2009208258.tif 000013
【図１２】
2009208258.tif 000014
【図１３】
2009208258.tif 000015
【図１４】
2009208258.tif 000016